(57)【要約】【課題】  通知音の出力音量調整を小さい値に設定した場合でも、通知音のフレーズ全体の聞き取りやすさを保ち、使用者が通知音の意味する内容を把握しやくする。【解決手段】  通知音を出力する出力手段と、前記通知音の出力信号の増幅率を変更する増幅手段と、前記増幅手段の出力信号の信号振幅を抑制する振幅抑圧手段と、前記通知音を出力する手段から聞こえる音量を調整するための音量調整入力手段とを備え、前記音量調整入力手段から得られる１つの入力値に応じて前記増幅手段の増幅率と、前記振幅抑圧手段の動作閾値とを変化させる。【選択図】図１
2018085663.tif 000002
【特許請求の範囲】
【請求項１】
通知音を出力する出力手段と、
前記通知音の出力信号の増幅率を変更する増幅手段と、
前記増幅手段の出力信号の信号振幅を抑制する振幅抑圧手段と、
前記通知音を出力する手段から聞こえる音量を調整するための音量調整入力手段とを備え、
前記音量調整入力手段から得られる１つの入力値に応じて前記増幅手段の増幅率と、前記振幅抑圧手段の動作閾値とを変化させることを特徴とする音声処理装置。
【請求項２】
前記音量調整入力手段の位置に応じて、前記通知音の最大振幅が、前記増幅手段の増幅率で制限される設定状態と、前記振幅抑圧手段の動作閾値で制限される設定状態とに変化することを特徴とする請求項１に記載の撮影装置。
【請求項３】
記録音声または再生音声の出力音量を調整する第１の音量調整手段と、
前記第１の音量調整手段の位置に応じて増幅率が変化する前記記録音声または再生音声を増幅するための第１の増幅手段と、
前記第１の増幅手段の出力信号レベルを検出するレベル検出手段と、
前記レベル検出手段が検出した信号レベルを記憶しておく記憶手段と、
通知音の出力音量を調整する第２の音量調整手段と、
前記第２の音量調整手段の位置に応じて増幅率が変化する前記通知音を増幅するための第２の増幅手段と、
前記第２の音量調整手段の位置に応じて入力信号の振幅に対して抑圧を適用する動作閾値が変化する振幅抑圧手段と、
前記第１の増幅手段を経た前記記録音声または再生音声と、前記第２の増幅手段と前記振幅抑圧手段を経た前記通知音とを合成する信号加算手段と、
前記信号加算手段の出力信号を鳴らすための出力手段とを備え、
前記レベル検出手段の検出レベルと前記記憶手段に記憶されているレベルとを比較し、比較結果に所定値以上の差があった場合に、前記第２の増幅手段の増幅率または前記振幅抑圧手段の動作閾値を変更ことを特徴とする音声処理装置。
【請求項４】
前記振幅抑圧手段の動作閾値が前記第２の増幅手段の最大出力振幅値よりも下回るときの前記第２の音量調整手段の位置が、記録音声または再生音声の出力音量を調整する第１の音量調整手段の位置に応じて変化することを特徴とする請求項３に記載の音声処理装置。
【請求項５】
前記レベル検出手段の検出レベルと前記記憶手段に記憶されているレベルとを比較した結果、前記レベル検出手段の検出レベルの方が大きいときには前記第２の増幅手段の増幅率を大きくし、前記レベル検出手段の検出レベルの方が小さいときには前記通知音の最大振幅が前記振幅抑圧手段によって制限するように前記振幅抑圧手の動作閾値を変化することを特徴とする請求項３に記載の音声処理装置。
【発明の詳細な説明】
【技術分野】
【０００１】
本発明は音声処理装置に関する。
【背景技術】
【０００２】
従来、装置の状態を使用者に知らせることを目的として、その装置が具備するスピーカやヘッドホン出力から通知音を放音する機能を有したものが存在する。また、放音される音の大きさが使用者にとって聞き取りやすくなるように、使用者自身が操作子を用いて音量を調整をする方法や、装置が自動的に調整を行う方法が採用されている。いずれの方法においても、過度に大きな音が放音されないようにするとともに、通知音と同時に使用者の耳に入ってくる他の音によって、目的の通知音が聞こえにくくならないような調整をすることが望まれる。
【０００３】
例えば、周辺騒音の大きさを検出して、スピーカから放音する通知音の音量を自動的に調整する技術が考案されている（特許文献１参照）。この技術では、周囲騒音の大きさに応じて、通知音を出力する増幅手段の増幅率を変更している。
【先行技術文献】
【特許文献】
【０００４】
【特許文献１】特開平５−１７２６１９号公報
【発明の概要】
【発明が解決しようとする課題】
【０００５】
しかしながら、増幅率の大きさによっては、通知音の聞き取りやすさについて下記の懸念がある。即ち、増幅手段の増幅率を変更すると、出力信号の振幅は図１０に示すように、原波形と比較して線形的に拡大または縮小をする。増幅率をある程度大きい値にする場合には、通知音のフレーズ全体の振幅変動が確保されるために、その意味する内容を把握することに支障はない。しかし反対に、増幅率を小さい値にする場合には、抑揚を伴うフレーズの中で振幅の小さかった部分が更に小さくなることで、フロアノイズや同じ出力信号にミックスされる他の音声に埋もれて聞こえにくくなる。
【０００６】
この結果、フレーズ全体を明瞭に聞き取ることができなくなり、通知音の意味するところを把握できなくなる懸念がある。
【０００７】
特に撮影装置では、装置が具備するマイクロホンや外部機器に接続された音声入力端子などから集音された音声をモニタ出力する機能がある。このとき通知音は、このモニタ音声とミックスされた後に、同一のスピーカやヘッドホン出力から放音される。そのため、通知音用とモニタ音声用の音量調整ボリュームを個別に備える場合は、それぞれの絶対音量とともに両者間の相対音量のバランスも取りながら、適正な音量に調整をしていく。
【０００８】
しかし、両者の音量を調整したときに比べてモニタ音声の出力音量が変動していくと、両者のミックスバランスが変化することによって、通知音が大きくなったように感じたり、あるいは小さくなったように感じたりすることがある。
【０００９】
本発明は、通知音の出力音量調整を小さい値に設定した場合でも、通知音のフレーズ全体の聞き取りやすさを保ち、使用者が通知音の意味する内容を把握しやくすることを目的とする。
【課題を解決するための手段】
【００１０】
上記目的を達成するために、本発明は、通知音を出力する出力手段と、前記通知音の出力信号の増幅率を変更する増幅手段と、前記増幅手段の出力信号の信号振幅を抑制する振幅抑圧手段と、前記通知音を出力する手段から聞こえる音量を調整するための音量調整入力手段とを備え、前記音量調整入力手段から得られる１つの入力値に応じて前記増幅手段の増幅率と、前記振幅抑圧手段の動作閾値とを変化させることを特徴とする。
【発明の効果】
【００１１】
以上説明したように、本発明によれば、通知音の出力音量を小さい値に調整する際には、フレーズ中の大きな振幅を抑制して音量を下げることで、通知音のフレーズ全体の聞き取りやすさを保ち、使用者が通知音の意味する内容を把握しやくすることができる。
【図面の簡単な説明】
【００１２】
【図１】撮影装置の概略構成を示す図である。
【図２】増幅器の増幅率で音量調整をしたときの出力音量変化を示す図である。
【図３】音量調整処理を示すフローチャートである。
【図４】ボリューム設定値と増幅率と抑圧動作閾値の関係を示す図である。
【図５】出力音量変化を示す図である。
【図６】音量調整処理による出力信号波形を示す図である。
【図７】撮影装置の概略構成を示す図である。
【図８】音量調整処理を示すフローチャートである。
【図９】ボリューム設定値と増幅率と抑圧動作閾値の関係を示す図である。
【図１０】音量調整処理による出力信号波形を示す図である。
【発明を実施するための形態】
【００１３】
＜第１の実施形態＞
本発明による第１の実施例を説明する。以下、本発明の実施の形態を図面を参照して詳細に説明する。図１は、本発明の第1の実施形態に係る音声処理装置を含む撮影装置の概略構成を示す図である。
【００１４】
図１において、撮影装置本体１００は、内部バス１０１を介して互いに接続されたＣＰＵ（中央演算装置）１０２、プログラムＲＯＭ１０３、メモリ１０４、ディスプレイ１０５、操作部１０６、撮像部１０７、画像処理部１０８、記録部１０９、集音部１１０、音声処理部１１１、増幅器Ａ１１２、リミッタＡ１１３、通知音発生部１１４、増幅器Ｂ１１５、リミッタＢ１１６、ミキサ１１７、デジタルアナログ変換器（ＤＡＣ）１１８、出力ドライバ１１９、スピーカ１２０を備える。
【００１５】
なお、本発明に関連する部分についてのみ図示例で説明しており、電池や記録媒体ドライブ等のその他の部分については省略している。
【００１６】
バス１０１は、各種データ、制御信号、指示信号などを撮影装置本体１００の各ブロックに送るための汎用バスである。ＣＰＵ１０２は、撮影装置本体１００の動作を制御する演算処理装置である。ＣＰＵ１０２は、操作部１０６を介して使用者からの指示を受け付けて、後述する各種プログラムを実行すると共に、ディスプレイ１０５の表示制御を行う。プログラムＲＯＭ１０３には、データや、ＣＰＵ１０２の動作処理手順（例えば撮影装置本体１００の立ち上げ処理や基本入出力処理、後述する本発明の各処理等のプログラム）が記録されている。
【００１７】
メモリ１０４は、ＣＰＵ１０２のワークエリアとして使用される。ディスプレイ１０５は、グラフィックユーザインターフェース（ＧＵＩ）を提供するための表示部である。操作部１０６は、撮影装置本体１００の筺体に配された複数のスイッチや、ディスプレイ１０５の表面上に配置された抵抗膜方式や静電容量方式によるタッチパネルである。タッチパネルは、ディスプレイ１０５の表示画像とタッチパネルの検出領域とを組み合わせることによって、ＣＰＵ１０２に様々な操作入力を指示することができる。
【００１８】
撮像部１０７は、レンズにより取り込まれた被写体の光学像を、絞りにより光量を制御して、ＣＣＤセンサやＣＭＯＳセンサ等の撮像素子により画像信号に変換し、アナログデジタル変換をして、信号処理部１０８に送信する。画像処理部１０８は、画像の記録再生に必要な処理を実行するもので、下記の処理を実行するプログラムを搭載したマイクロコンピュータである。また、ＣＰＵ１０２の一部の機能として下記の処理を実行するものであってもよい。
【００１９】
画像処理部１０８の処理は、撮像部１０７から取得したデジタル画像信号を一時的に不図示のメモリに記憶し、ホワイトバランスや色、明るさなどを設定に基づいて調整する画質調整処理や、撮像部１０７から得られた画像の画素数やアスペクト比などの画像サイズ変更をする。また、画質調整処理された複数のフレームの画像信号から動画データを生成する処理である。記録部１０９は、映像データおよび音声データを記録に適した形式に変換するとともに、データテープ、光ディスク、フラッシュメモリ等からなる記録媒体に対してデータの書き込みや格納されているデータの読み出しを行う。
【００２０】
集音部１１０は、内蔵されたマイクロホンまたは音声入力端子を介して接続された外部マイク等により、撮影装置本体１００の周囲の音声を集音し、取得したアナログ音声信号をデジタル信号に変換して音声処理部１１１に送信する。また、内蔵されるマイクロホンまたは音声入力端子は何れか１つである単一入力であっても良いし、両者が存在する複数入力でも構わない。音声処理部１１１は、音声の記録再生に必要な処理を実行するもので、下記の処理を実行するプログラムを搭載したマイクロコンピュータである。また、ＣＰＵ１０２の一部の機能として下記の処理を実行するものであってもよい。
【００２１】
音声処理部１１１の処理は、集音部１１０から送信されたデジタル音声信号を一時的に不図示のメモリに記憶し、音声に特殊効果を付与するエフェクト処理やレベルの適正化処理や雑音低減処理等の音声に関する処理を行う。ここでの処理が完了した音声信号は、記録に用いるものは記録部１０９へ、再生出力やモニタ音声出力に用いるものは増幅器Ａ１１２へと送られる。増幅器Ａ１１２は、ＣＰＵ１０２によって制御される増幅率で、音声処理部１１１から出力された信号を増幅する。
【００２２】
リミッタＡ１１３は、増幅器Ａ１１２から出力された信号の振幅が抑圧動作閾値として定められたレベルを超える大きさで入力されたときに、その信号振幅を抑圧するものである。抑圧の特性によっては、コンプレッサと称されるものを含んでも構わない。なお、リミッタＡ１１３の搭載については、実施形態に応じて、その有無を問わない。また、ＣＰＵ１０２は、操作部１０６に含まれる音量調整ボリュームの設定値を検出した結果などから、増幅器Ａ１１２の増幅率やリミッタＡ１１３の抑圧動作閾値を決定して制御指示を出す。
【００２３】
通知音発生部１１４は、ＣＰＵ１０２からの指示を受けて、その指示に該当する通知音を発生させる。ＣＰＵ１０２は、操作部１０６の検出結果や、記録部１０９から得られる記録媒体の残量情報、不図示のバッテリから得られる電池残量情報、その他の各部位からの動作情報を監視する。
【００２４】
その結果、使用者へのコールバックや警告のために通知音を鳴らすことを決定すると、使用者に知らせるべき内容に対して予め関連付けられていた音色を選択して、通知音発生部１１４に指示を出す。増幅器Ｂ１１５およびリミッタＢ１１６は、通知音発生部１１４から発せられた信号に対して、前述の増幅器Ａ１１２およびリミッタＡ１１３と同じ働きをする。リミッタＡ１１３から出力されたモニタ音声と、リミッタＢ１１６から出力された通知音は、ミキサ１１７で１つの信号に合成される。
【００２５】
その後、ＤＡＣ１１８でアナログ信号に変換された信号は出力ドライバ１１９に入力されて、この出力ドライバ１１９がスピーカ１２０あるいは外部接続端子に接続されたヘッドホンを駆動することで、使用者の耳に音声として到達する。なお本例では、増幅器やリミッタをデジタル信号処理で実現する構成で記しているが、デジタル信号処理とアナログ信号処理の分岐点に応じて、ＤＡＣ１１８の位置は適宜変わっても良い。
【００２６】
次に、使用者が通知音用の音量調整ボリュームを操作した際の、各部の制御について説明をする。なお、使用者が音量調整をする手段としては、回転ツマミ式の音量調整ボリュームやタッチパネルインターフェースなどの操作部１０６に含まれる複数の形態が取られ得る。ただし、いずれも音量が変化するという同様の操作結果を得るものであるため、以降は回転ツマミ式の音量調整ボリュームにおいて記述する。
【００２７】
最初に、一般的な音量調整ボリュームを変化させたときの音量変化について説明をする。横軸を音量調整ボリュームの位置、縦軸を音量調整ボリュームを最大にしたときの出力音量を基準にした音量比率としてグラフを描くと図２のようになる。これは音声機器の音量変化カーブとして一般的なＡカーブの変化である。音量調整ボリュームを小さくすると、通知音の波形全体に渡る振幅が減衰することで、出力音量が小さくなる。
【００２８】
その結果、抑揚のある通知音では、信号振幅の大きいところの音は聞こえるが、小さいところの音は聞こえにくいという現象が発生し、通知音発生部１１４で出力した通知音とは異なる聞こえ方をしてしまう。この結果、通知音の意味するところを正しく把握できなくなる懸念に遭遇する。
【００２９】
次に、前記の信号振幅の小さいところの音が聞こえにくくなることの改善方法として、音量調整ボリュームの位置に応じて、リミッタＢ１１６の抑圧動作閾値も同時に変化する処理について説明をする。なお、後述の説明におけるレベルの関係を分かりやすくするために、通知音発生部１１４が発生する信号の最大振幅レベルを０ｄＢＦＳとする。後段の回路は、音量調整ボリュームが最大のときにはこの振幅のままで通過させ、音量調整ボリュームを小さくすると減衰させる方式とする。
【００３０】
これは最大音量で出力される信号が、ＤＡＣ１１８およびその後段のアナログ回路（この例では出力ドライバ１１９）で歪まないレベルにすることによって、放音される音のＳＮ比（信号対雑音比）を向上させることにも寄与するものである。前述のように通知音発生部１１４が発生する波形の最大振幅を０ｄＢＦＳとして、この最大振幅を抑圧せずに通過させるリミッタＢ１１６の抑圧動作閾値も同様に０ｄＢＦＳとする。
【００３１】
以下、図３のフローチャートに沿って説明をする。まず、ＣＰＵ１０２は音量調整ボリュームの設定値を読み取る。回転ツマミ式は可変抵抗器で構成されていることが多いため、回転角度によって内部抵抗が分圧されて生じた電圧値を検出ことができる。この電圧値をＣＰＵ１０２に内蔵された不図示のＡＤＣ（アナログデジタル変換器）で１２８段階のデジタル値に変換をして、ボリューム設定値を得る（Ｓ１０１）。次に図４のテーブルを用いて、先に得られたボリューム設定値から増幅器Ｂ１１５の増幅率と、リミッタＢ１１６の抑圧動作閾値を決定する（Ｓ１０２、Ｓ１０３）。
【００３２】
そして、ここで決定した増幅率を増幅器Ｂ１１５に、抑圧動作閾値をリミッタＢ１１６にそれぞれ設定をする（Ｓ１０４、Ｓ１０５）。
【００３３】
図５は、図４のテーブルに従って、増幅器Ｂ１１５の増幅率とリミッタＢ１１６の抑圧動作閾値をグラフにしたものである。このとき、増幅器Ｂ１１５とリミッタＢ１１６を通った通知音の出力音量は、２つの線の小さい値の方で制限される。
音量調整ボリュームが最大のときは、ＣＰＵ１０２はボリューム設定値を１２７として検出して、図５のテーブルから増幅器Ｂ１１５の増幅率を０ｄＢ、リミッタＢ１１６の抑圧動作閾値を０ｄＢＦＳに決定する。
【００３４】
同様に音量調整ボリュームが回転角度の中央のときは、ボリューム設定値が６４、増幅器Ｂ１１５の増幅率を−１５．０ｄＢ、リミッタＢ１１６の抑圧動作閾値を−１０ｄＢＦＳとすることが分かる。このとき、増幅率と抑圧動作閾値の両方が通知音信号を減衰させる値になっているが、通知音発生部１１４が出力する信号の振幅が最大のところで、増幅器Ｂ１１５の出力信号が−１５ｄＢＦＳとなるため、リミッタＢ１１６によって抑圧されることはない。さらに音量調整ボリュームを小さくしていくと、ボリューム設定値が３２のところで、増幅率が−２６ｄＢ、抑圧動作閾値が−２６ｄＢＦＳとなる。
【００３５】
このとき、増幅器Ｂ１１５の最大出力信号は−２６ｄＢＦＳになるので、リミッタＢ１１６の抑圧動作閾値と同じレベルになる。そして、さらに音量調整ボリュームが小さくなり、ボリューム設定値が２０になると、増幅率が−３４．４ｄＢ、抑圧動作閾値が−４１ｄＢＦＳとなる。このとき、通知音の出力音量はリミッタＢ１１６で抑圧されたレベルになる。このレベルは、図２で前述した、一般的な音量調整ボリュームを変化させた場合とほぼ同じであるが、両者の信号波形振幅を比較すると、図６のように、フレーズ中で振幅の異なるところがある。
【００３６】
つまり、フレーズ中の振幅が小さな部分について、原信号（図６（ａ））を増幅器Ｂ１１５だけで音量を変化させた場合（図６（ｂ））に比べて、リミッタＢ１１６で抑圧をした信号（図６（ｃ））の方が、振幅レベルが大きく確保されている。また、フレーズ中の音量が大きい部分は、両方とも同等の大きさである。これにより、音量調整ボリュームを小さくした際に、通知音の出力音量を下げながらも、特に抑揚中の小音量部分が小さくなりすぎることを軽減することで、フレーズ全体の聞き取りやすさを改善することができる。
【００３７】
なお、図４で記したテーブルの増幅率と抑圧動作閾値は一例であり、この値に限るものではない。本例では通知音の出力音量がリミッタＢ１１６の抑圧動作によって制限されるボリューム設定値の領域であっても、音量調整ボリュームの変化に応じて動作抑圧閾値よりも小さい信号振幅が変化するようにしているが、例えばこの増幅率を固定にしてもよい。
【００３８】
＜第２の実施形態＞
本発明による第２の実施例を説明する。通知音用の音量調整ボリュームで出力音量を設定する時点では、例えば図２のような増幅器Ｂ１１５の増幅率が変化するだけの音量調整で支障が無かったとしても、時間の経過とともにモニタ音声の出力音量が変動することで、通知音の聞き取りやすさに影響を与える場合がある。撮影装置本体１００を使用中に屋内から屋外に移動するなどして、特に集音部の周辺環境に変化が生じた場合には、集音部から集音される音量に追従して、モニタ音声の平均的な出力音量も変化する。
【００３９】
このとき、モニタ音声用の音量調整ボリュームと通知音用の音量調整ボリュームの両者によって、事前に調整されたスピーカ１２０からの出力音量のバランスにも変化が生じることになる。即ち、モニタ音声の音量が大きくなると通知音が聞き取りにくくなり、モニタ音声の音量が小さくなると通知音が大きく耳触りに感じるようになる。この現象を改善するために、モニタ音声の平均的な出力音量の変化に応じて、通知音のフレーズ全体を聞き取りやすく維持するための処理方法を説明する。
【００４０】
図７は、本発明の第２の実施形態に係る録音装置の概略構成を示す図である。ここでは、第１の実施形態で記した図１と異なる点のみを説明する。レベル検出器２０１はリミッタＡ１１３から出力されるモニタ音声を受けて、モニタ音声の信号レベルを検出するものである。ここでレベルとは、所定時間中の平均レベルとする。比較器２０２は、レベル検出器２０１で求められたモニタ信号の最新の音声信号レベルと、後述するメモリＡ２０３に記憶されている音声信号レベルとを比較する。
【００４１】
メモリＡ２０３は、撮影装置本体１００の使用者がモニタ音声用の音量調整ボリュームを変化させたときに得られたレベル検出器の出力値を記憶しておくものである。なお、本例に関わる記憶部であることを明示するために独立の構成としたが、これをメモリ１０４の一部として実現しても構わない。
【００４２】
次に、本実施例の処理について図８のフローチャートを用いて説明をする。最初に、第１の実施形態のＳ１０１で記載したのと同じ方法で、通知音用とモニタ音声用の音量調整ボリュームのボリューム設定を検出する（Ｓ２０１〜Ｓ２０２）。次に、Ｓ２０２で検出したモニタ音声用のボリューム設定値が、前回の検出値と同じであるか否かを確認する（Ｓ２０３）。この結果によって、以降の処理が異なってくる。まずは、前回の検出値とは異なる場合であるが、これは使用者が音量調整ボリュームを操作したと捉えることができる。
【００４３】
つまり、この操作の結果によって生成される、通知音とモニタ音声のバランスを維持することが期待される。そこで、レベル検出器２０１から、このときのモニタ音声の平均出力レベル値ＬＶｎｏｗを得る（Ｓ２０４）。ＬＶｎｏｗは毎回のＲＭＳレベルを算出して、更にそれを数秒前から現在までの一定期間の平均値とした値にするなど、モニタ音声の突発的な変動には寛容でありつつも、長期的な変化は検出できるような期間の値で設定されることが好ましい。
【００４４】
こうして得られたＬＶｎｏｗは、モニタ音声用の音量調整ボリュームを設定した際の音量レベルＬＶｓｅｔとしてメモリＡ２０３に記憶しておく（Ｓ２０５）。続いて、増幅器Ｂ１１５の増幅率とリミッタＢ１１６の抑圧動作閾値を、図９に示す基準テーブルの値で設定する（Ｓ２０６、Ｓ２０７）。ここで、通知音用のボリューム設定値が５０であったとすると、増幅率は−１９．８ｄＢ、抑圧動作閾値は−１９．８ｄＢＦＳで設定される。
【００４５】
なお、第１の実施例と同じく通知音発生部１１４の最大出力レベルを0ｄＢＦＳとしているので、このテーブルでは、増幅器Ｂ１１５から出力される最大振幅は、リミッタＢ１１６が抑圧動作を開始する間際の関係になっている。
【００４６】
次に、Ｓ２０３でモニタ音声用のボリューム設定値が、前回の検出値と同じであった場合は、モニタ音声の出力音量の変化によって、通知音の増幅器Ｂ１１５の増幅率あるいはリミッタＢ１１６の抑圧動作閾値を変化させる。まずは、前述のＳ２０４と同様に、レベル検出器２０１で、モニタ音声の最新の平均出力レベル値ＬＶｎｏｗを得る（Ｓ２０８）。
【００４７】
次に、このＬＶｎｏｗと、メモリＡに記憶してあるモニタ音声用の音量調整ボリュームが操作されたときの平均出力レベル値ＶＬｓｅｔとを比較する（Ｓ２０９）。この結果が、予め設定されている増加変動限度値ＬＭＴｉｎｃを上回った場合には、通知音の出力音量を大きくする処理をする（Ｓ２１０）。例えば、ＬＭＴｉｎｃを５ｄＢとして、それを超える変化を検出したときには、超過量の分だけ追従するという設定にしたとする。
【００４８】
このとき、６ｄＢ増加したことを検出した場合には、最初にリミッタＢ１１６の抑圧動作閾値を−１８．８ｄＢに設定して（Ｓ２１１）、次に増幅器Ｂの増幅率を−１８．８ｄＢにする（Ｓ２１２）。このように、通知音のフレーズ全体に渡る信号振幅を超過量に相当する１ｄＢだけ増幅させる。
【００４９】
今度は、Ｓ２０９での比較結果が、予め設定されている減少変動限度値ＬＭＴｄｅｃを下回った場合には、通知音の出力音量を小さくする処理をする（Ｓ２１０、Ｓ２１３）。これまでに説明をしてきたのと同様に、通知音のフレーズ全体の聞き取りやすさを維持するために、信号振幅の大きいところをリミッタＢ１１６で抑圧する方法で処理をする。例えば、ＬＭＴｄｅｃを５ｄＢとして、それを超える変化を検出したときには、超過量の分だけ追従するという設定にしたとする。
【００５０】
このとき、６ｄＢ減少したことを検出した場合には、リミッタＢ１１６の抑圧動作閾値を−２０．８ｄＢに設定する（Ｓ２１４）。またここでは、増幅器Ｂ１１５の増幅率を変更せずに、前回の値を維持するようにしている。ただし、リミッタＢ１１６の動作閾値の変更量に一定の低減係数を乗じた値だけを増幅率も変更することで、小振幅部分にも適度な変化を持たせることも可能である。また本例では、増幅器Ｂ１１６の増幅率とリミッタＢの動作抑圧閾値の設定値を決める方法として比較的簡素な条件を記したが、条件の細分化や時定数を持たせた変化を付加する等の変更が為されることも構わない。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。
【００５２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５３】
１００  撮影装置本体
１０１  内部バス
１０２  ＣＰＵ（中央演算装置）
１０３  プログラムＲＯＭ
１０４  メモリ
１０５  ディスプレイ
１０６  操作部
１０７  撮像部
１０８  画像処理部
１０９  記録部
１１０  集音部
１１１  音声処理部
１１２  増幅器Ａ
１１３  リミッタＡ
１１４  通知音発生部
１１５  増幅器Ｂ
１１６  リミッタＢ
１１７  ミキサ
１１８  デジタルアナログ変換器（ＤＡＣ）
１１９  出力ドライバ
１２０  スピーカ
【図１】
2018085663.tif 000003
【図２】
2018085663.tif 000004
【図３】
2018085663.tif 000005
【図４】
2018085663.tif 000006
【図５】
2018085663.tif 000007
【図６】
2018085663.tif 000008
【図７】
2018085663.tif 000009
【図８】
2018085663.tif 000010
【図９】
2018085663.tif 000011
【図１０】
2018085663.tif 000012